(57)【要約】【課題】魚釣用のルアーを携行する場合に、ルアー本体に装着した釣針が絡まないようにする係止バンドを実現する。【解決手段】ルアー用釣針係止バンドは、本体１と伸縮紐３で形成する。本体１には、長手方向に貫通孔２を形成し、この貫通孔２に折り返した伸縮紐３を収容する。そして、伸縮紐３の折り返し端４を一方の開口部５から、両端は他方の開口部７から器外に突出させる。伸縮紐３は張力が作用したときは引っ張られた方向に移動し、張力が作用しないときは伸縮紐３の膨張力によって停止位置を維持する。貫通孔２の一方の開口部５から突出する伸縮紐３の折り返し端４と本体１の間にルアー本体の離れた位置に装着されている二つの釣針に掛け渡し、他方の開口部７から突出する伸縮紐３を引っ張ることによって二つの釣針をルアー本体に近接状態に維持する。【選択図】  図１
0003201131.tif 000002
【実用新案登録請求の範囲】
【請求項１】
長手方向に形成した本体の貫通孔に折り返した伸縮紐を収容し、伸縮紐の折り返し端を一方の開口部から、伸縮紐の両端は他方の開口部からそれぞれ器外に突出させるとともに、貫通孔は伸縮紐が収容された状態で伸縮紐に長手方向の張力が作用したときは伸縮紐が引っ張られた方向に移動し、張力が作用しないときは伸縮紐の膨張力によって伸縮紐は停止位置を維持する断面積とし、貫通孔の一方の開口部から突出する伸縮紐の折り返し端と本体の間にルアー本体の離れた位置に装着される二つの釣針に掛け渡しを、他方の開口部から突出する伸縮紐を引っ張ることによって二つの釣針を近接状態に維持することを特徴とするルアー用釣針係止バンド。
【請求項２】
本体の貫通孔内の一方の開口部に貫通孔の断面を二分する柱体を形成し、貫通孔に収容する伸縮紐は前記柱体を周回させて折り返し、伸縮紐の両端を他方の開口部から器外に突出させることを特徴とする請求項１記載のルアー用釣針係止バンド。
【請求項３】
伸縮紐の両端に、伸縮紐の貫通孔内への進入を防止する大きさの膨出部を形成したことを特徴とする請求項１又は２記載のルアー用釣針係止バンド。
【考案の詳細な説明】
【技術分野】
【０００１】
本考案は、魚釣用のルアーを携行する場合に、ルアー本体に装着した釣針が絡まないように、ルアー本体の釣針を安定的に係止させておくルアー用釣針係止バンドに関するものである。
【背景技術】
【０００２】
釣行に際して、魚釣用ルアーは、ルアー本体にトリプルフックなどのルアー用釣針を装着した状態で携行するのが普通である。その場合、釣針を装着したルアーはプラスチックケースなどに入れて携行するのが一般的であるが、携行に際してケースの中で釣針あるいはルアーが動くことによって、釣針が他の釣針やルアー本体に絡まる欠点がある。
【０００３】
上記欠点を解消するために、特許文献１には、トリプルフックに装着するキャップの発明が、特許文献２には、ルアー本体に装着した釣針に装着する、洗濯バサミ式のキャップの思想が、特許文献３には餌木の笠針に装着するカバーの発明が開示されている。
【先行技術文献】
【特許文献】
【０００４】
【特許文献１】特開平８-２３８０４８号公報
【特許文献２】特開２００２−１２５５５６号公報
【特許文献３】特開２００２−１４２６３６号公報
【考案の概要】
【考案が解決しようとする課題】
【０００５】
特許文献１ないし３に開示される、釣針(トリプルフック)にキャップを装着する方法では、釣針にキャップを装着すること自体が面倒であるとともに、キャップを装着した釣針が搖動する欠点があった。すなわち、キャップを装着した状態の釣針どうしが衝突したり絡まり、またキャップが脱落する可能性があった。キャップが脱落すると釣針の絡まりを防止することができない。また、キャップの着脱に際して、手指に釣針が刺さるといった危険性があった。
【０００６】
上記、従来技術の欠点に鑑み、本考案は、ルアーに装着した釣針に対して簡単、迅速に装着が可能であって、釣針をルアーに固定して釣針の絡まりを防止するとともに、着脱に際してなるべく釣針が手指に刺さるようなことがない安全な係止具を実現することを目的とするものである。
【考案の開示】
【課題を解決するための手段】
【０００７】
上記目的を達成する、請求項１に記載の本考案ルアー用釣針係止バンドは、本体１と伸縮紐３で形成する。本体１には、長手方向に貫通孔２を形成し、この貫通孔２に折り返した伸縮紐３を収容する。そして、伸縮紐３の折り返し端４を一方の開口部５から、伸縮紐３の両端は他方の開口部７からそれぞれ器外に突出させる。
本体１の貫通孔２は伸縮紐３が収容された状態で伸縮紐３に長手方向の張力が作用したときは伸縮紐３が引っ張られた方向に移動し、張力が作用しないときは伸縮紐３の膨張力によって伸縮紐３は停止位置を維持する断面積する。そして、貫通孔２の一方の開口部５から突出する伸縮紐３の折り返し端４と本体１の間にルアー本体Ａの離れた位置に装着されている二つの釣針Ｂ、Ｂに掛け渡し、他方の開口部７から突出する伸縮紐３を引っ張ることによって二つの釣針Ｂをルアー本体Ａに近接状態に維持するようにする。
【０００８】
請求項２記載の考案は、本体１の貫通孔２内の一方の開口部５に貫通孔の断面を二分する柱体８を形成することである。貫通孔２に収容する伸縮紐３は、前記柱体８を周回させて折り返し、伸縮紐３の両端６、６を他方の開口部７から器外に突出させることである。
請求項３記載の考案は、伸縮紐３の両端６、６に、伸縮紐３の貫通孔２内への進入を防止する大きさの膨出部９を形成することである。
【考案の効果】
【０００９】
請求項１記載の考案によれば、例えばルアー本体の中間位置と尾端部に配置したトリプルフックの一本の釣針に伸縮紐３の折り返し端４を引っ掛け、尾端部のトリプルフックの一本の釣針に、折り返し端４が突出する一方の開口部５に係止させる。すなわち、本体１の一方の開口部に形成されるループに釣針を掛け渡す。その状態で、他方の開口部７から突出している伸縮紐３の両端６を引っ張ることによって、伸縮紐３のループが縮められ、釣針Ｂと釣針Ｂが引き寄せられ、かつ釣針がルアー本体に近接した状態に係止され、釣針の絡まりを防止することができる。このように、請求項１記載のルアー用釣針係止バンドによれば、簡単にトリプルフックをルアー本体に係止させることができる。
【００１０】
請求項２記載の考案によれば、伸縮紐３の折り返し端４は、一方の開口部５に形成した柱体８を周回しているため、一方の開口部から突出している伸縮紐の折り返し端が、貫通孔内に引き込まれることがない。すなわち、間違って他方の開口端７から突出している伸縮紐３の両端６、６のいずれか一方が強く引っ張られることがあっても、伸縮紐３の折り返し端４が貫通孔に引き込まれ、伸縮紐３が他方の開口部７から抜け出すことがない。
請求項３記載の考案によれば、伸縮紐３の折り返し端４が不用意に引っ張られても、伸縮紐の両端６、６が膨出部によって係止され、伸縮紐が他方の開口部７から貫通孔２に引き込まれ、一方の開口部５から引き抜かれるのが防止され、安心して使用することができる効果がある。
【図面の簡単な説明】
【００１１】
【図１】図１は、本考案ルアー用釣針係止バンドの実施形態を示す斜視図、
【図２】図２は、ルアー用釣針係止バンドの本体を二つ割で形成し、分離させて内部構造を示す斜視図、
【図３】図３は、本体を一方の開口部側から見た斜視図、
【図４】図４は、本体を他方の開口部側から見た斜視図、
【図５】図５は、伸縮紐が本体に装着された状態を示す概略の断面図、
【図６】図６は、本考案ルアー用釣針係止具をルアー本体に装着する過程を示す概略図。
【考案を実施するための最良の形態】
【００１２】
以下、本考案に係るルアー用釣針係止バンドの実施形態を添付の図面に基づいて説明する。
図１は、本考案ルアー用釣針係止バンドの実施形態を示す斜視図、図２は、ルアー用釣針係止バンドの本体を二つ割で形成し、分離させて内部構造を示す斜視図である。
本考案に係るルアー用釣針係止バンドは、本体１と伸縮紐３で構成する。本体１には、長手方向に貫通孔２が形成してあり、貫通孔２には折り返した伸縮紐３を収容するようにしている。
【００１３】
図示実施形態においては、本体１を二つ割の状態で成型し、組み合わせることによって貫通孔２が穿設された本体１を形成するようにしている。すなわち、図２に示すように、本体１を上本体1aと下本体1bで形成する。上本体1ａには、貫通孔２の上半部を構成する溝2aを、下本体1bには貫通孔２の下半部を形成する溝2bを形成してあり、組み合わせることによって貫通孔２が形成されるようにしている。二つ割状態の上本体1aと下本体1bを強固に組み合わせ結合するために、上本体1aに嵌合突起10、10が、下本体1bには、前記嵌合突起10、10を嵌合する嵌合孔11、11を形成している。嵌合突起10と嵌合孔11の結合以外に、係合爪12と係止部13の係合その他、複数位置において係合手段を設けることによって、上本体1ａと下本体1bは嵌合させるだけで強固に組み立てることができるようにしている。
【００１４】
伸縮紐２は、折り返した状態で貫通孔２を通過させ、折り返し端４を一方の開口部５から、伸縮紐３の両端は他方の開口部７からそれぞれ器外に突出させる。したがって、本体１に形成する貫通孔２の断面形状は、長円形とする。また、貫通孔２は、伸縮紐３が収容された状態で伸縮紐３に長手方向の張力が作用したとき、断面積を減じて伸縮紐３は引っ張られた方向に移動し、張力が作用しないときは伸縮紐３の膨張力によって、伸縮紐３が貫通孔内において停止位置を維持する断面積とする。これは、貫通孔２の断面積と伸縮紐３の断面積及び伸縮紐の材質の選定によって実現することができ、伸縮紐３として、例えばシリコンゴムや天然ゴムのゴム紐を採用することができる。
【００１５】
図示実施形態においては、上本体1aの一方の開口部の溝2a内に柱体８を形成している。柱体８を形成することによって断面積が減少する分、溝2aは柱体部分において横方向に拡幅している。当然、下本体1bの一方の開口部においても、上本体の幅と一致するように拡幅している。柱体８の高さは、溝2a、2bの深さの合計に相当する。上本体1aの溝2aに柱体８を形成することによって、上本体1aとした本体1bを組み立てたとき、貫通孔２内の一方の開口部５に図１や図３に示すように柱体が形成されることになる。そして、伸縮紐２は、図１に示すように柱体を周回させて折り返すことによって、折り返し端が誤って貫通孔内に引き込まれ、使用不能となることがない。
【００１６】
図示実施形態においては、伸縮紐３の両端６、６に膨出部９、９を形成している。膨出部９、９を形成することによって、伸縮紐３の両端６、６が貫通孔２内に引き込まれるのを防止することができる。
すなわち、上記した本考案のルアー用釣針係止バンドによれば、折り返し端４を引っ張ることによって伸縮紐３が一方の開口部５から引き出され、他方の開口部７において伸縮紐３が引き込まれ、折り返した伸縮紐によって大きなループが形成される。伸縮紐３の引っ張りを解除すると、伸縮紐３は自身の膨張によってその位置に留まる。逆に、伸縮紐３の両端６を引っ張ると、伸縮紐３の折り返し端４部分が一方の開口部に引き込まれ、伸縮紐の両端が他方の開口部から引き出される。ただし、柱体の存在によって折り返し端が貫通孔内に引き込まれてしまうことはない。
【００１７】
本考案に係るルアー用釣針係止バンドの使用方法を図６に基づいて説明する。
図６(ａ)に示すルアーは、魚形状のルアー本体Ａの腹部と尾部の二カ所に、一般にトリプルフックと称される釣針Ｂ、Ｂが装着されている。図６(ａ)に示すルアーでは、釣針Ｂ、Ｂが搖動するため、携行中に他のルアーや周辺のものに絡まる。例えばプラスチック容器にルアーのみを収容する場合であっても、ルアーの釣針が他のルアーや釣針に絡まることになる。
【００１８】
図６(ａ)に示すルアーの釣針をルアー本体Ａに係止させるには、図６(ｂ)に示すように、係止具の本体１から引き出した伸縮紐３の折り返し端４と本体１の間に、ルアー本体Ａの腹部に配置したトリプルフックの一本の釣針Ｂとルアー本体Ａの尾部に配置したトリプルフックの一本の釣針Ｂを掛け渡す。
続いて、他方の開口部７から突出する伸縮紐３を引っ張ることによって伸縮紐のループ部分が縮められ、図６(ｃ)に示すように、伸縮紐の折り返し端４と本体１の一方の開口端５の間で釣針Ｂ、Ｂ引き寄せ、釣針Ｂをルアー本体に引き寄せた状態に係止させる。
【００１９】
図６(ｃ)に示す状態では、伸縮紐３の弾性によって釣針ＢとＢが引き寄せられて安定した状態にあるため、釣針が他のルアーなどに絡まるのをできるだけ回避することができる。
トリプルフックは、三本の釣針が120度間隔に開いた状態である。したがって前端がルアー本体Ａの腹部に基端部を支持したトリプルフックの一本の釣針の曲げ部が、後方に引っ張られると、必然的に他の二本の釣針はルアー本体Ａの両側に位置し、二本の釣針でルアー本体を抱くように位置することになる。したがって、針先がルアー本体に接近し他の物に絡み、あるいは針先が刺さる可能性が少なくなる。
【００２０】
その他、本考案ルアー用釣針係止バンドの本体１の表面には、本体１を持って操作する場合に滑らないように、滑り止めのための突起14、14を形成している。突起14は、上本体1a及び下本体1bの両方に形成する。
【符号の説明】
【００２１】
１…本体、  1a…上本体、  1b…下本体、  ２…貫通孔、  2a、2b…溝、  ３…伸縮紐、  ４…折り返し端、  ５…一方の開口部、  ６…両端、  ７…他方の開口部、  ８…柱体、  ９…膨出部、  10…嵌合突起、  11…嵌合孔、  12…係合爪、  13…係止部、  14…突起、  Ａ…ルアー本体、    Ｂ…釣針。
【図１】
0003201131.tif 000003
【図２】
0003201131.tif 000004
【図３】
0003201131.tif 000005
【図４】
0003201131.tif 000006
【図５】
0003201131.tif 000007
【図６】
0003201131.tif 000008